(57)【要約】【課題】乾燥空気の温度を所要の温度まで速やかに上昇させること。【解決手段】生ゴミの水分を蒸発させて分解処理を行う処理手段と、同処理手段内の空気を取り込むと共に、空気中の水分を液化させて除去することにより乾燥空気となす冷却手段と、同冷却手段により気化された冷媒を凝縮させて凝縮熱を放熱することにより、上記乾燥空気を加熱すると共に、上記処理手段に乾燥空気を還元させる凝縮手段とを具備する生ゴミ処理装置であって、処理手段に還元される乾燥空気を再加熱するための再加熱用凝縮手段を設けた。【選択図】　　　　　図１
2004041962.tif 000002
【特許請求の範囲】
【請求項１】
生ゴミの水分を蒸発させて分解処理を行う処理手段と、
同処理手段内の空気を取り込むと共に、空気中の水分を液化させて除去することにより乾燥空気となす冷却手段と、
同冷却手段により気化された冷媒を凝縮させて凝縮熱を放熱することにより、上記乾燥空気を加熱すると共に、上記処理手段に乾燥空気を還元させる凝縮手段とを具備する生ゴミ処理装置であって、
処理手段に還元される乾燥空気を再加熱するための再加熱用凝縮手段を設けたことを特徴とする生ゴミ処理装置。
【請求項２】
再加熱用凝縮手段は、冷媒を凝縮させて凝縮熱を放熱する再加熱用凝縮器と、同再加熱用凝縮器からの放熱を凝縮手段と処理手段とを連通する乾燥空気還元流路に向けて送風する送風ファンとを具備することを特徴とする請求項１記載の生ゴミ処理装置。
【発明の詳細な説明】
【０００１】
【発明の属する技術分野】
本発明は、生ゴミ処理装置に関する。
【０００２】
【従来の技術】
従来、生ゴミ処理装置の一形態として、生ゴミの水分を蒸発させて分解処理を行う処理手段と、同処理手段内の空気を取り込んで、空気中の水分を液化させて除去する冷却手段と、同冷却手段の冷媒を凝縮して放熱することにより、冷却手段により水分を除去された乾燥空気を加熱すると共に処理手段に還元させる凝縮手段とを具備するものがある。
【０００３】
そして、かかる生ゴミ処理装置では、処理手段内の空気を処理手段→冷却手段→凝縮手段→処理手段と循環させることにより、水分を含んだ空気を乾燥させると共に乾燥空気を加熱して、生ゴミの水分を蒸発させて分解処理を行うようにしている。
【０００４】
【発明が解決しようとする課題】
ところが、上記した生ゴミ処理装置では、凝縮手段の放熱により加熱される乾燥空気の温度を上昇させるためには、前記した処理手段→冷却手段→凝縮手段→処理手段の循環サイクルを早める必要性があるが、この場合、凝縮手段と冷却手段の冷媒は共用させているため、同冷却手段とのバランスがうまく採れず、効率良く乾燥空気の温度を上昇させることができないという不具合がある。
【０００５】
【課題を解決するための手段】
そこで、本発明では、生ゴミの水分を蒸発させて分解処理を行う処理手段と、同処理手段内の空気を取り込むと共に、空気中の水分を液化させて除去することにより乾燥空気となす冷却手段と、同冷却手段により気化された冷媒を凝縮させて凝縮熱を放熱することにより、上記乾燥空気を加熱すると共に、上記処理手段に乾燥空気を還元させる凝縮手段とを具備する生ゴミ処理装置であって、処理手段に還元される乾燥空気を再加熱するための再加熱用凝縮手段を設けたことを特徴とする生ゴミ処理装置を提供するものである。
【０００６】
また、本発明は、再加熱用凝縮手段は、冷媒を凝縮させて凝縮熱を放熱する再加熱用凝縮器と、同再加熱用凝縮器からの放熱を凝縮手段と処理手段とを連通する乾燥空気還元流路に向けて送風する送風ファンとを具備することにも特徴を有する。
【０００７】
【発明の実施の形態】
以下に、本発明の実施の形態について説明する。
【０００８】
すなわち、本発明に係る生ゴミ処理装置は、基本的構造として、生ゴミの水分を蒸発させて分解処理を行う処理手段と、同処理手段内の空気を取り込むと共に、空気中の水分を液化させて除去することにより乾燥空気となす冷却手段と、同冷却手段により気化された冷媒を凝縮させて凝縮熱を放熱することにより、上記乾燥空気を加熱すると共に、上記処理手段に乾燥空気を還元させる凝縮手段とを具備している。
【０００９】
そして、特徴的構造として、処理手段に還元される乾燥空気を再加熱するための再加熱用凝縮手段を設けている。
【００１０】
しかも、再加熱用凝縮手段は、冷媒を凝縮させて凝縮熱を放熱する再加熱用凝縮器と、同再加熱用凝縮器からの放熱を凝縮手段と処理手段とを連通する乾燥空気還元流路に向けて送風する送風ファンとを具備している。
【００１１】
【実施例】
以下に、本発明の実施例を、図面を参照しながら説明する。
【００１２】
図１及び図２に示すＡは、本発明に係る生ゴミ処理装置であり、同生ゴミ処理装置Ａは、生ゴミの水分を蒸発させて分解処理を行う処理手段１と、同処理手段１内の空気を取り込んで、空気中の水分を液化させて除去する冷却手段２と、同冷却手段２の冷媒を凝縮して放熱することにより、冷却手段２により水分を除去された乾燥空気を加熱すると共に処理手段に還元させる凝縮手段３と、乾燥空気を再加熱するための再加熱用凝縮手段４とを具備しており、これらの各手段１，２，３，４をキャスター５を有するケーシング体６内に配設している。
【００１３】
処理手段１は、図１及び図２に示すように、ケーシング体６の床部７上に左右一対の支持体１０，１０を介して処理槽１１を載置しており、同処理槽１１の前側上部に投入口１２を開口して、同投入口１２をケーシング体６の一部を形成する開閉蓋１３により開閉自在に閉蓋している。
【００１４】
そして、処理槽１１内には、左右方向に軸線を向けた回転軸１４を横架し、同回転軸１４に複数枚の撹拌羽根１５を放射状に突設すると共に、同回転軸１４に減速ケース１６を介して撹拌駆動用モータ１７を連動連結している。
【００１５】
このようにして、開閉蓋１３を開蓋して、投入口１２より生ゴミや分解基材（処理物）を投入し、同状態にて撹拌駆動用モータ１７により減速ケース１６を介して回転軸１４を周期的に正回転ないしは逆回転させて、生ゴミと分解基材を撹拌することにより、好気性の発酵菌による分解処理を行うようにしている。
【００１６】
また、処理槽１１の底部１１ａには、熱供給手段である温水ジャケット２０を設けており、同温水ジャケット２０には給湯管２１と戻り管２２とを連通連結し、同給湯管２１に設けた温水入口ヘッダー２３と上記戻り管２２に設けた温水出口ヘッダー２４とを介して温水ジャケット２０とコージェネレーション装置等とを連通連結して、両者の間で温水を循環させるようにしている。２５は、温水の供給を調整する開閉弁、２６は開閉弁駆動用アクチュエータ、２７は処理槽支持脚体である。
【００１７】
このようにして、コージェネレーション装置等から温水入口ヘッダー２３→給湯管２１→温水ジャケット２０に供給された温水の熱を、処理槽１１の内側面にて処理物と熱交換させ、熱交換された後の戻り湯を戻り管２２→温水出口ヘッダー２４→コージェネレーション装置等へ戻すようにしている。
【００１８】
また、処理槽１１の左側壁１１ｂには排出ダクト３０を設け、同排出ダクト３０内に排出機構３１を設けており、排出機構３１は、処理槽１１の左側壁１１ｂに、同左側壁１１ｂの一部を形成する排出用開閉体３２の下端縁部を開閉体支軸３３を介して開閉自在に取り付け、同開閉体支軸３３にリンク３４を介して開閉用モータ３５を連動連結している。
【００１９】
そして、排出用開閉体３２を上端縁部が処理槽１１内に位置するように開放作動させて傾斜状態となし、同状態にて撹拌羽根により掻き上げられた分解処理物を、排出用開閉体３２の上面に載せると共に、傾斜面に沿わせて滑動させて排出ダクト３０内に導き、同排出ダクト３０の下方に配置したキャスター付きの回収トレイ３６内に連続的に回収することができるようにしている。３７は水分センサである。
【００２０】
また、処理槽１１の左側壁１１ｂの上部に空気排出流路ｗ１を形成する排気管４０の基端部を接続すると共に、同排気管４０の先端部に空気乾燥ケース４１を接続する一方、同空気乾燥ケース４１に乾燥空気還元流路ｗ２を形成する還元管４２の基端部を接続すると共に、同還元管４２の先端部を処理槽１１の右側壁１１ｃの上部に接続して、槽内空気循環流路Ｗを形成している。
【００２１】
しかも、槽内空気循環流路Ｗを通して、処理槽１１内の空気を循環させながら、同空気を後述する冷却手段２により乾燥させると共に、後述する凝縮手段３により加熱して、所要の温度の空気により処理物を分解処理することができるようにしている。
【００２２】
すなわち、冷却手段２は、冷却器４４を前記空気乾燥ケース４１内の左側部に配置して、同冷却器４４により排気管４０を通して処理槽１１から排出される空気を冷却して、同空気が含んでいる水分を液化（凝縮）させるようにしている。
【００２３】
このようにして、空気は乾燥させて乾燥空気となす一方、液化水は空気乾燥ケース４１の底部に接続したドレン管４５を通して外部に排出するようにしている。
【００２４】
そして、凝縮手段３は、凝縮器４６を前記空気乾燥ケース４１の右側部に配置しており、同凝縮器４６は、図３にも示すように、冷媒循環流路４８を介して前記冷却器４４と直列的に接続して、同凝縮器４６により気化している冷媒を凝縮（液化）させることにより、凝縮熱を周囲に発散（放熱）させるようにしている。
【００２５】
このようにして、凝縮熱により乾燥空気を加熱すると共に、凝縮器４６の近傍に配置した還元ファン４７により加熱された乾燥空気を還元管４２を通して処理槽１１内に還元させるようにしている。
【００２６】
再加熱用凝縮手段４は、冷媒を凝縮させて液化させることにより、凝縮熱を周囲に発散（放熱）する再加熱用凝縮器５０と、同再加熱用凝縮器５０からの放熱を前記乾燥空気還元流路ｗ２を形成する還元管４２に向けて送風する送風ファン５１とを具備しており、上記再加熱用凝縮器５０と送風ファン５１とを処理槽１１の上方に配置した支持ケース５２内に配置している。
【００２７】
そして、図３に示すように、排気管４０と還元管４２にそれぞれ第１・第２温度センサ５３，５４を設けて、図４に示すように、両温度センサ５３，５４を制御手段としてのコントローラ５５の入力側に接続する一方、同コントローラ５５の出力側に前記還元ファン４７と送風ファン５１を接続している。
【００２８】
また、図４に示すように、コントローラ５５の入力側には操作パネル５６を接続して、同操作パネル５６により分解処理の開始・終了操作以外に、排気温度と乾燥空気還元温度とをあらかじめ設定する操作が行えるようにしており、コントローラ５５と操作パネル５６は、前記したケーシング体６の前壁６ａに取り付けている。
【００２９】
このようにして、凝縮器４６が冷媒を凝縮した際に発生する凝縮熱は、周囲に放熱として発散され、同放熱により乾燥空気が加熱されて、この加熱された乾燥空気は還元ファン４７により還元管４２を通して処理槽１１内に還元される。
【００３０】
この際、あらかじめ排気温度と乾燥空気還元温度を操作パネル５６によりコントローラ５５に設定しておき、これらの温度と第１・第２温度センサ５３，５４により検出される実際の温度をコントローラ５５が比較して、実際の温度検出値が設定値よりも低い場合には、これらの温度を上昇させる必要性があることから、送風ファン５１の回転数を増大させると共に、凝縮器４６の放熱量を冷却器４４とのバランスが採れる程度に増大させることにより、効率良く乾燥空気の温度を所要の温度まで上昇させることができる。
【００３１】
しかも、送風ファン５１は、再加熱用凝縮器５０からの放熱を乾燥空気還元流路ｗ２を形成する還元管４２に向けて送風するようにしているため、還元される乾燥空気を確実に加熱させることができて、この点からも効率良く乾燥空気の温度を上昇させることができる。
【００３２】
また反対に、実際の温度検出値が設定値よりも高い場合には、これらの温度を下降させる必要性があることから、送風ファン５１の回転数を減少させると共に、凝縮器４６の放熱量を冷却器４４とのバランスが採れる程度に減少させることにより、効率良く乾燥空気の温度を所要の温度まで下降させることができる。
【００３３】
次に、前記した冷媒循環流路４８について説明すると、同冷媒循環流路４８には、図３に示すように、圧縮機６０を設け、同圧縮機６０の上流側に凝縮器４６と再加熱用凝縮器５０とを直列的に配設すると共に、圧縮機６０の下流側に冷却器４４を配設している。６１は高圧ゲージ、６２は高低圧圧力開閉器、６３，６４，６５はドライヤ、６６はサイトグラス、６７は手動膨張弁、６８はパックレスバルブ、６９はチャージプラグ、７０は電磁弁、７１はキャピラリである。
【００３４】
【発明の効果】
（１）請求項１記載の本発明では、生ゴミの水分を蒸発させて分解処理を行う処理手段と、同処理手段内の空気を取り込むと共に、空気中の水分を液化させて除去することにより乾燥空気となす冷却手段と、同冷却手段により気化された冷媒を凝縮させて凝縮熱を放熱することにより、上記乾燥空気を加熱すると共に、上記処理手段に乾燥空気を還元させる凝縮手段とを具備する生ゴミ処理装置であって、処理手段に還元される乾燥空気を再加熱するための再加熱用凝縮手段を設けている。
【００３５】
このようにして、凝縮手段からの放熱により加熱される乾燥空気の温度を、さらに上昇させる必要性がある場合には、再加熱用凝縮手段により乾燥空気を再加熱することにより、同乾燥空気の温度を所要の温度まで速やかに上昇させることができる。
【００３６】
この際、凝縮手段の放熱量は、冷却手段とのバランスが採れる程度に増大させることにより、効率良く乾燥空気を所要の温度まで上昇させることができる。
【００３７】
（２）請求項２記載の本発明では、再加熱用凝縮手段は、冷媒を凝縮させて凝縮熱を放熱する再加熱用凝縮器と、同再加熱用凝縮器からの放熱を凝縮手段と処理手段とを連通する乾燥空気還元流路に向けて送風する送風ファンとを具備している。
【００３８】
このようにして、凝縮手段からの放熱により加熱される乾燥空気の温度を、さらに上昇させる必要性がある場合には、送風ファンの回転数を増大させると共に、凝縮手段の放熱量を冷却手段とのバランスが採れる程度に増大させることにより、効率良く乾燥空気の温度を所要の温度まで上昇させることができる。
【００３９】
この際、送風ファンは、再加熱用凝縮器からの放熱を乾燥空気還元流路に向けて送風するようにしているため、還元される乾燥空気を確実に加熱させることができて、この点からも効率良く乾燥空気の温度を上昇させることができる。
【００４０】
また、凝縮手段からの放熱により加熱される乾燥空気の温度を、下降させる必要性がある場合には、送風ファンの回転数を減少させると共に、凝縮手段の放熱量を冷却手段とのバランスが採れる程度に減少させることにより、効率良く乾燥空気の温度を所要の温度まで下降させることができる。
【図面の簡単な説明】
【図１】本発明に係る生ゴミ処理装置の一部切欠正面説明図。
【図２】同生ゴミ処理装置の側面図。
【図３】冷媒流路の説明図。
【図４】制御ブロック図。
【符号の説明】
Ａ　生ゴミ処理装置
１　処理手段
２　冷却手段
３　凝縮手段
４　再加熱用凝縮手段
５　キャスター
【図１】
2004041962.tif 000003
【図２】
2004041962.tif 000004
【図３】
2004041962.tif 000005
【図４】
2004041962.tif 000006